【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
人体に装着して脈拍を計測する脈拍計において、
脈波センサを有し、脈波検出信号を出力する脈波検出部と、
装着者の心臓の位置と当該脈拍計の装着位置との高さ方向の相対的な差に基づいて前記脈波検出信号に含まれる体動成分を除去する体動成分除去部と、
前記体動成分除去後の前記脈波検出信号に基づいて脈拍数を算出する脈拍数算出部と、
を備え、
前記体動成分除去部は、前記差の関数として表される体動成分を検出し、体動検出信号を出力する体動検出部と、前記体動成分検出信号を前記脈波検出信号から減算する除去処理部と、
を備えたことを特徴とする脈拍計。
【請求項２】
請求項１記載の脈拍計において、
前記体動検出部は、前記体動成分を検出する圧力センサを備えたことを特徴とする脈拍計。
【請求項３】
請求項２記載の脈拍計において、
前記圧力センサは、前記脈波センサの近傍に配置されていることを特徴とする脈拍計。
【請求項４】
請求項２または請求項３記載の脈拍計において、
前記圧力センサは、前記脈波センサに略積層状態で配置されていることを特徴とする脈拍計。
【請求項５】
請求項４記載の脈拍計において、
前記体動成分除去部は、前記装着者の心臓の位置と当該脈拍計の装着位置との高さ方向の相対的な差を検出する差検出部と、
前記差および前記脈波検出信号から前記体動成分を生成する体動成分生成部と、
を備えたことを特徴とする脈拍計。
【請求項６】
請求項５記載の脈拍計において、
前記差検出部は、前記高さ方向の相対的な差として当該脈拍計の基準角度に対する実際の配置状態における角度差を検出する角度センサを備えたことを特徴とする脈拍計。
【請求項７】
請求項６記載の脈拍計において、
前記角度センサは、前記脈波センサの近傍に配置されていることを特徴とする脈拍計。
【請求項８】
請求項６または請求項７記載の脈拍計において、
前記角度センサは、前記脈波センサに略積層状態で配置されていることを特徴とする脈拍計。
【請求項９】
請求項６ないし請求項８のいずれかに記載の脈拍計において、
前記角度センサは、静止加速度に基づいて前記角度差を検出することを特徴とする脈拍計。
【請求項１０】
請求項６ないし請求項８のいずれかに記載の脈拍計において、
前記角度センサは、回転錘を有し、前記回転錘の回転状態に基づいて前記角度差を検出することを特徴とする脈拍計。
【請求項１１】
請求項５ないし請求項１０のいずれかに記載の脈拍計において、
前記差検出部は、前記角度差が前記装着者の心臓の位置に対し、当該脈拍計の装着位置がより高い位置にあると見倣される場合に、所定の前記体動成分の減衰曲線に応じて前記角度差を補正する角度差補正部を備えたことを特徴とする脈拍計。
【請求項１２】
身体の脈波検出位置に装着され、脈波センサを有し、脈波信号を出力する脈波検出部と、腕に装着される装置本体部と、を備えた腕時計型情報機器であって、
前記装置本体部は、装着者の心臓の位置と当該脈拍計の装着位置との高さ方向の相対的な差に基づいて体動成分を検出して体動検出信号を生成し、前記体動成分検出信号を前記脈波検出信号から減算することにより、前記脈波検出信号に含まれる体動成分を除去する体動成分除去部と、
前記体動成分除去後の前記脈波検出信号に基づいて脈拍数を算出する脈拍数算出部と、
前記脈拍数を表示する表示部と、
を備えたことを特徴とする腕時計型情報機器。
【請求項１３】
脈波センサを有し脈波信号を出力する脈波検出部と、装着者の心臓の位置と当該脈拍計の装着位置との高さ方向の相対的な差を検出し、差データとして出力する差検出部と、を備えた脈拍計をコンピュータにより制御するための制御プログラムにおいて、
脈波成分データに対応する前記脈波検出信号から前記差データに対応する体動成分検出信号を減算することにより前記脈波成分データに含まれる体動成分を除去させ、
前記体動成分除去後の前記脈波成分データに基づいて脈拍数を算出させる、
ことを特徴とする制御プログラム。
【請求項１４】
請求項１３記載の制御プログラムを記録したことを特徴とするコンピュータ読取可能な記録媒体。
【手続補正２】
【補正対象書類名】明細書
【補正対象項目名】０００４
【補正方法】変更
【補正の内容】
【０００４】
上記課題を解決するため、人体に装着して脈拍を計測する脈拍計は、脈波センサを有し、脈波検出信号を出力する脈波検出部と、装着者の心臓の位置と当該脈拍計の装着位置との高さ方向の相対的な差に基づいて前記脈波検出信号に含まれる体動成分を除去する体動成分除去部と、前記体動成分除去後の前記脈波検出信号に基づいて脈拍数を算出する脈拍数算出部と、を備え、前記体動成分除去部は、前記差の関数として表される体動成分を検出し、体動検出信号を出力する体動検出部と、前記体動成分検出信号を前記脈波検出信号から減算する除去処理部と、を備えたことを特徴としている。
上記構成によれば、脈波検出部は、脈波センサを有し、脈波検出信号を出力する。
体動成分除去部の体動検出部は、差の関数として表される体動成分を検出し、体動検出信号を除去処理部に出力し、除去処理部は、動成分検出信号を脈波検出信号から減算する。これにより、体動成分除去部は、装着者の心臓の位置と当該脈拍計の装着位置との高さ方向の相対的な差に基づいて脈波検出信号に含まれる体動成分を除去することとなる。
そして、脈拍数算出部は、体動成分除去後の脈波検出信号に基づいて脈拍数を算出する。
【手続補正３】
【補正対象書類名】明細書
【補正対象項目名】０００５
【補正方法】変更
【補正の内容】
【０００５】
この場合において、前記体動検出部は、前記体動成分を検出する圧力センサを備えてもよい。
また、前記圧力センサは、前記脈波センサの近傍に配置されているようにしてもよい。
さらに前記圧力センサは、前記脈波センサに略積層状態で配置されているようにしてもよい。
さらにまた、前記体動成分除去部は、前記装着者の心臓の位置と当該脈拍計の装着位置との高さ方向の相対的な差を検出する差検出部と、前記差および前記脈波検出信号から前記体動成分を生成する体動成分生成部と、を備えるようにしてもよい。
また、前記差検出部は、前記高さ方向の相対的な差として当該脈拍計の基準角度に対する実際の配置状態における角度差を検出する角度センサを備えるようにしてもよい。
さらに、前記角度センサは、前記脈波センサの近傍に配置されているようにしてもよい。
さらにまた、前記角度センサは、前記脈波センサに略積層状態で配置されているようにしてもよい。
さらにまた、前記角度センサは、静止加速度に基づいて前記角度差を検出するようにしてもよい。
また、前記角度センサは、回転錘を有し、前記回転錘の回転状態に基づいて前記角度差を検出するようにしてもよい。
さらに、前記差検出部は、前記角度差が前記装着者の心臓の位置に対し、当該脈拍計の装着位置がより高い位置にあると見倣される場合に、所定の前記体動成分の減衰曲線に応じて前記角度差を補正する角度差補正部を備えるようにしてもよい。
【手続補正４】
【補正対象書類名】明細書
【補正対象項目名】０００６
【補正方法】変更
【補正の内容】
【０００６】
また、身体の脈波検出位置に装着され、脈波センサを有し、脈波信号を出力する脈波検出部と、腕に装着される装置本体部と、を備えた腕時計型情報機器であって、前記装置本体部は、装着者の心臓の位置と当該脈拍計の装着位置との高さ方向の相対的な差に基づいて体動成分を検出して体動検出信号を生成し、前記体動成分検出信号を前記脈波検出信号から減算することにより、前記脈波検出信号に含まれる体動成分を除去する体動成分除去部と、前記体動成分除去後の前記脈波検出信号に基づいて脈拍数を算出する脈拍数算出部と、前記脈拍数を表示する表示部と、を備えたことを特徴としている。
上記構成によれば、装置本体部の体動成分除去部は、装着者の心臓の位置と当該脈拍計の装着位置との高さ方向の相対的な差に基づいて体動成分を検出して体動検出信号を生成し、体動成分検出信号を脈波検出信号から減算することにより、脈波検出信号に含まれる体動成分を除去する。
これにより脈拍数算出部は、体動成分除去後の脈波検出信号に基づいて脈拍数を算出し、表示部は、算出された脈拍数を表示する。
【手続補正５】
【補正対象書類名】明細書
【補正対象項目名】０００７
【補正方法】変更
【補正の内容】
【０００７】
脈波センサを有し脈波信号を出力する脈波検出部と、装着者の心臓の位置と当該脈拍計の装着位置との高さ方向の相対的な差を検出し、差データとして出力する差検出部と、を備えた脈拍計をコンピュータにより制御するための制御プログラムにおいて、脈波成分データに対応する前記脈波検出信号から前記差データに対応する体動成分検出信号を減算することにより前記脈波成分データに含まれる体動成分を除去させ、前記体動成分除去後の前記脈波成分データに基づいて脈拍数を算出させる、ことを特徴としている。
さらに上記制御プログラムをコンピュータ読取可能な記録媒体に記録するようにしてもよい。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】